(57)【要約】【課題】  自動原稿搬送装置を備えた構成において、画像読取部の読取調整に伴う作業者の負担を軽減できるようにする。【解決手段】  画像形成装置は、原稿台に載置された原稿の画像を読み取るスキャナ２００と原稿の画像を読み取るために原稿配置部に配置された複数の原稿を順次搬送する自動原稿搬送装置２１０とを備える。さらに、調整開始を指示する入力に基づいて、原稿台に配置された第１の基準チャートの読取動作と原稿配置部に配置された第２の基準チャートの搬送動作および読取動作とが行われるようにスキャナ２００および自動原稿搬送装置２１０を制御し、かつ第１の基準チャートの画像データに基づいた原稿台上原稿の読取に伴う読取調整と第２の基準チャートの画像データに基づいた自動原稿搬送装置２１０による搬送原稿の読取に伴う読取調整とを行う主制御部４０１を備える。【選択図】  図１
2006339915.tif 000002
【特許請求の範囲】
【請求項１】
原稿台に載置された原稿の画像を読み取る画像読取部と、原稿の画像を読み取るために原稿配置部に配置された複数の原稿を順次搬送する自動原稿搬送部とを備えている画像形成装置において、
調整開始を指示する入力に基づいて前記原稿台に配置された第１の基準チャートの読取動作と前記原稿配置部に配置された第２の基準チャートの搬送動作および読取動作とが行われるように前記画像読取部および自動原稿搬送部を制御する制御手段と、
第１の基準チャートの画像データに基づいた原稿台上原稿の読取に伴う読取調整と第２の基準チャートの画像データに基づいた自動原稿搬送装置による搬送原稿の読取に伴う読取調整とを行う画像読取部調整手段とを備えていることを特徴とする画像形成装置。
【請求項２】
自動原稿搬送装置は前記画像読取部を第１の画像読取部とした場合に第２の画像読取部を備え、
原稿台に配置された第１の基準チャートの読取動作と原稿配置部に配置された第２の基準チャートの搬送動作および読取動作とは調整開始を指示する入力に基づいて動作期間を重複して行われることを特徴とする請求項１に記載の画像形成装置。
【請求項３】
階調調整手段を備え、
前記基準チャートは読取調整用チャートと階調調整用チャートとを備えており、
画像読取部調整手段は、基準チャートの画像データに含まれる読取調整用チャートの画像データに基づいて画像読取部の読取調整を行い、
階調調整手段は、基準チャートの画像データに含まれる階調調整用チャートの画像データに基づいて階調調整を行うことを特徴とする請求項１に記載の画像形成装置。
【請求項４】
前記基準チャートの画像データを読取調整用チャートの画像データと階調調整用チャートの画像データとに切り分け、前者を画像読取部調整手段に与え、後者を階調調整手段に与える画像切分手段を備えていることを特徴とする請求項３に記載の画像形成装置。
【請求項５】
原稿台に載置された原稿の画像を読み取る画像読取部と、原稿の画像を前記画像読取部にて読み取るために原稿配置部に配置された複数の原稿を順次搬送する自動原稿搬送部と、前記画像読取部から得られた原稿の画像データに基づいて印刷を行う印刷部とを備えている画像形成装置において、
前記印刷部での印刷動作により得られたテスト印刷シートが前記自動原稿搬送装置により搬送されて得られたテスト印刷シートの画像データに基づいて自動原稿搬送装置による搬送原稿の読取に伴う読取調整を行う画像読取部調整手段と、
前記テスト印刷シートの画像データに基づいて印刷部の印刷調整を行う印刷部調整手段とを備えていることを特徴とする画像形成装置。
【請求項６】
原稿の画像を読み取る画像読取部と、原稿の画像を前記画像読取部にて読み取るために原稿配置部に配置された複数の原稿を順次搬送する自動原稿搬送部と、前記画像読取部から得られた原稿の画像データに基づいて印刷を行う印刷部とを備えている画像形成装置において、
前記印刷部に印刷用の用紙を供給する複数の給紙部と、
各給紙部から供給された用紙を使用して前記印刷部により作成されたテスト印刷シートが前記自動原稿搬送装置により搬送されて得られたテスト印刷シートの画像データに基づいて給紙部ごとに印刷部の印刷調整を行う印刷部調整手段とを備えていることを特徴とする画像形成装置。
【請求項７】
何れかの前記テスト印刷シートの画像データに基づいて自動原稿搬送装置による搬送原稿の読取に伴う読取調整を行う画像読取部調整手段を備えていることを特徴とする請求項６に記載の画像形成装置。
【請求項８】
原稿台に載置された原稿の画像を読み取る画像読取部と、原稿の画像を読み取るために原稿配置部に配置された複数の原稿を順次搬送する自動原稿搬送部とを備えている画像形成装置の調整方法において、
調整開始を指示する入力に基づいて前記原稿台に配置された第１の基準チャートの読取動作と前記原稿配置部に配置された第２の基準チャートの搬送動作および読取動作とが行われるように前記画像読取部および自動原稿搬送部を制御する制御ステップと、
第１の基準チャートの画像データに基づいた原稿台上原稿の読取に伴う読取調整と第２の基準チャートの画像データに基づいた自動原稿搬送装置による搬送原稿の読取に伴う読取調整とを行う画像読取部調整ステップとを備えていることを特徴とする画像形成装置の調整方法。
【請求項９】
原稿台に載置された原稿の画像を読み取る画像読取部と、原稿の画像を前記画像読取部にて読み取るために原稿配置部に配置された複数の原稿を順次搬送する自動原稿搬送部と、前記画像読取部から得られた原稿の画像データに基づいて印刷を行う印刷部とを備えている画像形成装置の調整方法において、
前記印刷部での印刷動作により得られたテスト印刷シートが前記自動原稿搬送装置により搬送されて得られたテスト印刷シートの画像データに基づいて自動原稿搬送装置による搬送原稿の読取に伴う読取調整を行う画像読取部調整ステップと、
前記テスト印刷シートの画像データに基づいて印刷部の印刷調整を行う印刷部調整ステップとを備えていることを特徴とする画像形成装置。
【請求項１０】
原稿の画像を読み取る画像読取部と、原稿の画像を前記画像読取部にて読み取るために原稿配置部に配置された複数の原稿を順次搬送する自動原稿搬送部と、前記画像読取部から得られた原稿の画像データに基づいて複数の給紙部の何れかから供給された用紙に印刷を行う印刷部とを備えている画像形成装置の調整方法において、
各給紙部から供給された用紙を使用し前記印刷部により作成されたテスト印刷シートを前記自動原稿搬送装置にて搬送し前記画像読取部にて読み取る読取ステップと、
この読取ステップにて得られた各テスト印刷シートの画像データに基づいて給紙部ごとに印刷部の印刷調整を行う印刷部調整ステップとを備えていることを特徴とする画像形成装置の調整方法。
【発明の詳細な説明】
【技術分野】
【０００１】
本発明は、自動原稿搬送装置を備え、自動原稿搬送装置にて搬送される原稿の画像を読み取る場合の読取調整、および原稿台上に配置された原稿の画像を読み取る場合の読取調整を行う画像形成装置および画像形成装置の調整方法に関するものである。
【背景技術】
【０００２】
近年、電子写真方式を用いる画像形成装置としてデジタル複写機が多用されている。このデジタル複写機は、画像読取部と印刷部とを備え、画像読取部が原稿の画像を読み取り、これによって得られた画像データを印刷部がシート上に可視画像として画像形成すなわち印刷する。このようなデジタル複写機は、工場での組み立て後に、画像読取部の読取調整および印刷部の印刷調整が行われている。その詳細な方法については、例えば特許文献１に開示されている。
【０００３】
ここで、画像読取部の読取調整を予め用意された基準チャートを使用して行い、印刷部の調整をその印刷部で印刷することによって得られたテスト印刷シートを使用して行う一般的な場合について説明する。
【０００４】
基準チャート１００１は、図１９に示すように、シート一杯に矩形の枠画像が形成されたものである。テスト印刷シート１００２は、図２０に示すように、基準チャート１００１と同様、シート一杯に矩形の枠画像が印刷されたものであり、テスト印刷パターンの画像データを調整対象となる印刷部によって印刷することにより得られたものである。なお、テスト印刷パターンの画像は、通常、基準チャートの画像と同一のものを使用可能であり、その画像データは例えば画像形成装置が記憶している。
【０００５】
画像読取部の読取調整は基準チャート１００１を画像読取部にて読み取り、得られた画像データに基づいて行われる。印刷部の印刷調整は、テスト印刷シート１００２を画像読取部にて読み取り、得られた画像データに基づいて行われる。これら両調整の順序では、先ず画像読取部の読取調整が行われ、その後、印刷部の印刷調整が行われる。したがって、これら調整を行う場合、作業者は、先ず画像形成装置の原稿台に基準チャート１００１を配置し、スタートボタンを操作して画像読取部に基準チャート１００１を読み取らせる。そして、画像形成装置での画像読取部の読取調整の完了後に、今度は予め印刷していた、あるいは読取調整の完了後に印刷したテスト印刷シート１００２を原稿台に配置し、スタートボタンを操作して画像読取部にテスト印刷シート１００２を読み取らせるといった操作を行う。
【０００６】
以下に、画像読取部の調整方法および印刷部の調整方法について具体的に説明する。なお、以下の説明においては、矩形枠画像における副走査方向の読取始端側の枠部を前枠部、読取後端側の枠部を後枠部と称し、また、主走査方向の読取始端側の枠部を上枠部、読取後端側の枠部を下枠部と称する。
【０００７】
画像読取部の読取調整では、例えば、画像読取部にて原稿画像を読み取る場合の（Ａ１）副走査方向の読取倍率調整、（Ａ２）副走査方向の読取先端位置調整、および（Ａ３）主走査方向の読取オフセンター調整が行われる。なお、主走査方向の読取倍率調整については、画像読取部（画像読取装置）単体において既に正しく調整されているものとし、ここでは行わない。
【０００８】
これら調整には、例えば図１９に示す、画像読取部の読取調整用の基準チャートの画像が印刷されたシート（以下、単に基準チャートと称する）が使用される。即ち、基準チャート１００１を画像読取部にて読み取ることにより得られた、基準チャート１００１の画像データを使用して調整が行われる。
【０００９】
基準チャート１００１は、同図に示すように、矩形の枠画像を有している。同図において、Ｐ１は矩形枠の前枠部の前端位置を示し、Ｐ２は矩形枠の後枠部の後端位置を示し、Ｐ３は矩形枠の上枠部の上端位置を示し、Ｐ４は矩形枠の下枠部の下端位置を示している。
【００１０】
（Ａ１）副走査方向の読取倍率調整では、基準チャート１００１の画像データにおけるＰ１−Ｐ２間隔が予めメモリに記憶されている規定の間隔と一致するように、基準チャート１００１の画像データにおける副走査方向の倍率を調整する。
【００１１】
（Ａ２）副走査方向の読取先端位置調整では、基準チャート１００１の画像データにおける位置Ｐ１が予めメモリに記憶されている規定の読取先端位置（読取始端位置）と一致するように、メモリ上において、基準チャート１００１の画像データを副走査方向に前後移動させる。
【００１２】
（Ａ３）主走査方向の読取オフセンター調整では、基準チャート１００１の画像データにおける位置Ｐ３と位置Ｐ４がそれぞれ予めメモリに記憶されている規定の位置と一致するように、メモリ上において、基準チャート１００１の画像データを主走査方向において前後移動させる。
【００１３】
印刷部の印刷調整では、（Ｂ１）副走査方向の印刷倍率調整、（Ｂ２）主走査方向の印刷倍率調整、（Ｂ３）主走査方向の印刷オフセンター調整、および（Ｂ４）副走査方向の印刷先端位置調整が行われる。
【００１４】
これら調整には、例えば図２０に示す、印刷部の印刷調整用のテスト印刷パターンの画像をその印刷部自身で印刷して得られたシート（以下、テスト印刷シートと称する）が使用される。即ち、テスト印刷シート１００２を画像読取部にて読み取ることにより得られた、テスト印刷シート１００２の画像データを使用して調整が行われる。
【００１５】
テスト印刷シート１００２は、同図に示すように、矩形の枠画像を有している。同図において、Ｐ１１は矩形枠の前枠部の後端位置を示し、Ｐ１２は矩形枠の後枠部の前端位置を示し、Ｐ１３は矩形枠の上枠部の下端位置を示し、Ｐ１４は矩形枠の下枠部の上端位置を示している。
【００１６】
（Ｂ１）副走査方向の印刷倍率調整では、Ｐ１１−Ｐ１２間隔が予めメモリに記憶されている規定の間隔と一致するように、テスト印刷シート１００２の画像データの副走査方向における倍率を調整する。
【００１７】
（Ｂ２）主走査方向の印刷倍率調整では、Ｐ１３−Ｐ１４間隔が予めメモリに記憶されている規定の間隔と一致するように、テスト印刷シート１００２の画像データの主走査方向における倍率を調整する。
【００１８】
（Ｂ３）主走査方向の印刷オフセンター調整では、矩形枠の上枠部の幅Ｗ２が予めメモリに記憶されている規定の印刷幅と一致するように、メモリ上において、テスト印刷シート１００２の画像データを主走査方向において前後移動させる。
【００１９】
（Ｂ４）副走査方向の印刷先端位置調整では、矩形枠の前枠部の幅Ｗ１が予めメモリに記憶されている規定の印刷幅と一致するように、メモリ上において、テスト印刷シート１００２の画像データを副走査方向に前後移動させる。
【００２０】
一方、画像形成装置は、複合機である場合、通常、自動原稿搬送装置を備えている。この自動原稿搬送装置は、原稿セットトレイに配置された複数枚の原稿を画像読取部にて読み取らせるために、順次原稿台上に搬送し、かつ原稿排出トレイに排出させるものである。したがって、このような画像形成装置での読取調整は、自動原稿搬送装置にて搬送される原稿の画像を読み取る場合の読取調整、および原稿台上に配置された原稿の画像を読み取る場合の読取調整が行われる。特に、自動原稿搬送装置が両面原稿に対応するものである場合、自動原稿搬送装置にて搬送される原稿の画像を画像読取部が読み取る場合の読取調整は、原稿の表面（おもて面）を読み取る場合と原稿の裏面を読み取る場合とのそれぞれについて読取調整が行われる。
【特許文献１】特開２００５−１０７３３号（平成１７年１月１３日公開）
【発明の開示】
【発明が解決しようとする課題】
【００２１】
上記のように、画像形成装置が自動原稿搬送装置を備えている場合には、画像読取部の読取調整に伴う作業が多くなるので、作業者の負担が大きくなる。具体的には、従来、作業者は、自動原稿搬送装置にて搬送される原稿の画像読取についての読取調整を行う場合に、自動原稿搬送装置への基準チャート１００１の配置、読取スタートボタンＯＮの手順にて作業を行い、原稿台上に配置された原稿の画像読取についての読取調整を行う場合に、原稿台への基準チャート１００１の配置、読取スタートボタンＯＮの手順にて作業を行っている。このため、これら読取調整に伴う作業が非常に面倒なものとなっている。
【００２２】
したがって、本発明は、自動原稿搬送装置を備えた構成において、画像読取部の読取調整に伴う作業者の負担を軽減することができる画像形成装置および画像形成装置の調整方法の提供を目的としている。
【課題を解決するための手段】
【００２３】
上記の課題を解決するために、本発明の画像形成装置は、原稿台に載置された原稿の画像を読み取る画像読取部と、原稿の画像を読み取るために原稿配置部に配置された複数の原稿を順次搬送する自動原稿搬送部とを備えている画像形成装置において、調整開始を指示する入力に基づいて前記原稿台に配置された第１の基準チャートの読取動作と前記原稿配置部に配置された第２の基準チャートの搬送動作および読取動作とが行われるように前記画像読取部および自動原稿搬送部を制御する制御手段と、第１の基準チャートの画像データに基づいた原稿台上原稿の読取に伴う読取調整と第２の基準チャートの画像データに基づいた自動原稿搬送装置による搬送原稿の読取に伴う読取調整とを行う画像読取部調整手段とを備えていることを特徴としている。
【００２４】
また、本発明の画像形成装置の調整方法は、原稿台に載置された原稿の画像を読み取る画像読取部と、原稿の画像を読み取るために原稿配置部に配置された複数の原稿を順次搬送する自動原稿搬送部とを備えている画像形成装置の調整方法において、調整開始を指示する入力に基づいて前記原稿台に配置された第１の基準チャートの読取動作と前記原稿配置部に配置された第２の基準チャートの搬送動作および読取動作とが行われるように前記画像読取部および自動原稿搬送部を制御する制御ステップと、第１の基準チャートの画像データに基づいた原稿台上原稿の読取に伴う読取調整と第２の基準チャートの画像データに基づいた自動原稿搬送装置による搬送原稿の読取に伴う読取調整とを行う画像読取部調整ステップとを備えていることを特徴としている。
【００２５】
上記の構成によれば、画像形成装置の読取調整を行う場合に、作業者は、原稿台に第１の基準チャートを配置し、自動原稿搬送装置に第２の基準チャートを配置し、調整開始を指示する入力操作を行えばよい。即ち、従来のように、原稿台への第１の基準チャートの配置、調整開始を指示する入力操作、自動原稿搬送装置への第２の基準チャートの配置、調整開始を指示する入力操作といった面倒な作業を行う必要がない。したがって、読取調整に伴う作業者の負担を軽減することができる。なお、上記の読取調整では、例えば、読取画像の倍率調整および位置調整を行う。
【００２６】
上記の画像形成装置は、自動原稿搬送装置は前記画像読取部を第１の画像読取部とした場合に第２の画像読取部を備え、原稿台に配置された第１の基準チャートの読取動作と原稿配置部に配置された第２の基準チャートの搬送動作および読取動作とは調整開始を指示する入力に基づいて動作期間を重複して行われる構成としてもよい。
【００２７】
上記の構成によれば、原稿台に配置された第１の基準チャートの読取動作と原稿配置部に配置された第２の基準チャートの搬送動作および読取動作とが動作期間を重複して行われるので、迅速な処理が可能となる。
【００２８】
上記の画像形成装置は、階調調整手段を備え、前記基準チャートは読取調整用チャートと階調調整用チャートとを備えており、画像読取部調整手段は、基準チャートの画像データに含まれる読取調整用チャートの画像データに基づいて画像読取部の読取調整を行い、階調調整手段は、基準チャートの画像データに含まれる階調調整用チャートの画像データに基づいて階調調整を行う構成としてもよい。
【００２９】
上記の構成によれば、基準チャートの画像データに含まれる読取調整用チャートの画像データに基づいて画像読取部の読取調整が行われ、基準チャートの画像データに含まれる階調調整用チャートの画像データに基づいて階調調整が行われるので、作業者は、画像読取部の読取調整のための作業に加えて、階調調整用チャートを原稿台に配置して階調調整のための操作をするといった作業を行う必要がない。これにより、画像形成装置の調整における作業者の負担をさらに軽減することができる。
【００３０】
上記の画像形成装置は、前記基準チャートの画像データを読取調整用チャートの画像データと階調調整用チャートの画像データとに切り分け、前者を画像読取部調整手段に与え、後者を階調調整手段に与える画像切分手段を備えている構成としてもよい。
【００３１】
上記の構成によれば、画像切分手段が基準チャートの画像データを読取調整用チャートの画像データと階調調整用チャートの画像データとに個々に切り分けるので、画像読取部調整手段と階調調整手段とは、必要な画像データに基づいてそれぞれの調整動作を適切に行うことができる。
【００３２】
本発明の画像形成装置は、原稿台に載置された原稿の画像を読み取る画像読取部と、原稿の画像を前記画像読取部にて読み取るために原稿配置部に配置された複数の原稿を順次搬送する自動原稿搬送部と、前記画像読取部から得られた原稿の画像データに基づいて印刷を行う印刷部とを備えている画像形成装置において、前記印刷部での印刷動作により得られたテスト印刷シートが前記自動原稿搬送装置により搬送されて得られたテスト印刷シートの画像データに基づいて自動原稿搬送装置による搬送原稿の読取に伴う読取調整を行う画像読取部調整手段と、前記テスト印刷シートの画像データに基づいて印刷部の印刷調整を行う印刷部調整手段とを備えていることを特徴としている。
【００３３】
また、本発明の画像形成装置の調整方法は、原稿台に載置された原稿の画像を読み取る画像読取部と、原稿の画像を前記画像読取部にて読み取るために原稿配置部に配置された複数の原稿を順次搬送する自動原稿搬送部と、前記画像読取部から得られた原稿の画像データに基づいて印刷を行う印刷部とを備えている画像形成装置の調整方法において、前記印刷部での印刷動作により得られたテスト印刷シートが前記自動原稿搬送装置により搬送されて得られたテスト印刷シートの画像データに基づいて自動原稿搬送装置による搬送原稿の読取に伴う読取調整を行う画像読取部調整ステップと、前記テスト印刷シートの画像データに基づいて印刷部の印刷調整を行う印刷部調整ステップとを備えていることを特徴としている。
【００３４】
上記の構成によれば、印刷部の印刷調整のために用意したテスト印刷シートの画像データに基づいて自動原稿搬送装置による搬送原稿の読取に伴う読取調整を行うことができるので、この読取調整のために読取調整用の画像を画像読取部にて別途読み取る作業が不要となる。これにより、画像形成装置の調整作業に伴う作業者の負担を軽減することができる。
【００３５】
本発明の画像形成装置は、原稿の画像を読み取る画像読取部と、原稿の画像を前記画像読取部にて読み取るために原稿配置部に配置された複数の原稿を順次搬送する自動原稿搬送部と、前記画像読取部から得られた原稿の画像データに基づいて印刷を行う印刷部とを備えている画像形成装置において、前記印刷部に印刷用の用紙を供給する複数の給紙部と、各給紙部から供給された用紙を使用して前記印刷部により作成されたテスト印刷シートが前記自動原稿搬送装置により搬送されて得られたテスト印刷シートの画像データに基づいて給紙部ごとに印刷部の印刷調整を行う印刷部調整手段とを備えていることを特徴としている。
【００３６】
また、本発明の画像形成装置の調整方法は、原稿の画像を読み取る画像読取部と、原稿の画像を前記画像読取部にて読み取るために原稿配置部に配置された複数の原稿を順次搬送する自動原稿搬送部と、前記画像読取部から得られた原稿の画像データに基づいて複数の給紙部の何れかから供給された用紙に印刷を行う印刷部とを備えている画像形成装置の調整方法において、各給紙部から供給された用紙を使用し前記印刷部により作成されたテスト印刷シートを前記自動原稿搬送装置にて搬送し前記画像読取部にて読み取る読取ステップと、この読取ステップにて得られた各テスト印刷シートの画像データに基づいて給紙部ごとに印刷部の印刷調整を行う印刷部調整ステップとを備えていることを特徴としている。
【００３７】
上記の構成によれば、各給紙部に対応するテスト印刷シートを自動原稿搬送装置にて順次送りそれらの画像を読み取るようにしているので、画像形成装置の調整作業に伴う作業者の負担を軽減することができる。
【００３８】
上記の画像形成装置は、何れかの前記テスト印刷シートの画像データに基づいて自動原稿搬送装置による搬送原稿の読取に伴う読取調整を行う画像読取部調整手段を備えている構成としてもよい。
【００３９】
上記の構成によれば、何れかのテスト印刷シートの画像データに基づいて自動原稿搬送装置による搬送原稿の読取に伴う読取調整を行うことができるので、画像形成装置の調整作業に伴う作業者の負担をさらに軽減することができる。
【発明の効果】
【００４０】
以上のように、本発明の画像形成装置は、調整開始を指示する入力に基づいて前記原稿台に配置された第１の基準チャートの読取動作と前記原稿配置部に配置された第２の基準チャートの搬送動作および読取動作とが行われるように前記画像読取部および自動原稿搬送部を制御する制御手段と、第１の基準チャートの画像データに基づいた原稿台上原稿の読取に伴う読取調整と第２の基準チャートの画像データに基づいた自動原稿搬送装置による搬送原稿の読取に伴う読取調整とを行う画像読取部調整手段とを備えている構成である。
【００４１】
これにより、画像形成装置の読取調整を行う場合に、作業者は、原稿台に第１の基準チャートを配置し、自動原稿搬送装置に第２の基準チャートを配置し、調整開始を指示する入力操作を行えばよく、読取調整に伴う作業者の負担を軽減することができる。
【発明を実施するための最良の形態】
【００４２】
〔実施の形態１〕
本発明の一実施の形態を図面に基づいて以下に説明する。
本実施形態の画像形成装置は、画像読取部であるスキャナと印刷部であるプリンタとを備えた複合機となっている。この複合機１は、図３の全体構成図に示すように、概略的に、自動原稿搬送装置２１０、スキャナ２００（画像読取部）、プリンタ１００（印刷部）および給紙デスク装置２０を備えている。
【００４３】
本実施形態においては、複合機１の上部にスキャナ２００が配置され、スキャナ２００の上面に透明ガラスからなる原稿台２０９が設けられている。原稿台２０９の上には自動原稿搬送装置２１０が配置されている。また、スキャナ２００の下にはプリンタ１００が配置され、さらにプリンタ１００の下には給紙デスク装置２０が配置されている。
【００４４】
自動原稿搬送装置２１０は、原稿セットトレイ２１１上にセットされた複数枚の原稿（シート）を１枚ずつ自動的に原稿台２０９上へ搬送し、その後、原稿排出トレイ２１２に排出する装置である。
【００４５】
自動原稿搬送装置２１０は、ＤＳＰＦ（Duplex Single Pass Feeder）である場合、図４に示すように、原稿セットトレイ２１１にセットされた原稿を同図に示した搬送経路で搬送した後に原稿排出トレイ２１２に排出する。ＤＳＰＦは、搬送経路に沿う位置に画像読取部２１３を備えている。この画像読取部２１３は例えばＣＣＤラインセンサを有する。このようなＤＳＰＦを備えている場合、原稿セットトレイ２１１に配置された原稿の表面（おもて面）の画像は本体側読取部であるスキャナ２００によって読み取られ、原稿の裏面の画像は送り装置側読取部である画像読取部２１３によって読み取られる。なお、以下の記載において原稿（シート）等の「表面」という記載は「裏面」に対する「おもて面」を意図する。
【００４６】
また、自動原稿搬送装置２１０は、ＲＳＰＦ（Reversing Single Pass Feeder）である場合、図５に示すように、原稿セットトレイ２１１にセットされた原稿を同図に示した搬送経路（１）〜（７）で搬送した後に原稿排出トレイ２１２に排出する。ＲＳＰＦは、内部に画像読取部を備えておらず、原稿の表面および裏面とも本体側読取部であるスキャナ２００によって読み取る方式である。このために、搬送経路（４）（５）において原稿のスイッチバックを行っている。このようなＲＳＰＦを使用する場合の原稿搬送動作および画像読取動作は、搬送経路（１）〜（７）と番号を対応させて説明すると、（１）原稿セットトレイ２１１から原稿を給送、（２）原稿の表面読取、（３）原稿を反転パスに挿入、（４）（５）原稿を反転、（６）原稿の裏面読取、（７）原稿を排出、となる。
【００４７】
スキャナ２００は、原稿台２０９上に載置された原稿の画像を自ら走査して読み取る。あるいは、自動原稿搬送装置２１０によって原稿台２０９上に搬送され、移動する原稿の画像を固定位置にて読み取る。本実施形態のスキャナ２００はカラースキャナである。スキャナ２００は、原稿台２０９の下方に、第１走査ユニット２０１、第２走査ユニット２０２、光学レンズ２０３、および光電変換素子であるＣＣＤラインセンサ２０４を有している。
【００４８】
第１走査ユニット２０１は、原稿面上を露光する露光ランプ２０５と、原稿からの反射光像を所定の方向に反射させる第１ミラー２０６等から構成されている。第２走査ユニット２０２は、第１走査ユニット２０１の第１ミラー２０６から反射されてくる原稿からの反射光を光電変換素子であるＣＣＤラインセンサ２０４に導く第２ミラー２０７および第３ミラー２０８より構成されている。光学レンズ２０３は、原稿からの反射光をＣＣＤラインセンサ２０４上に結像させる。ＣＣＤラインセンサ２０４は、Ｒ（赤）、Ｇ（緑）、Ｂ（青）の３ラインのイメージセンサを用いており、３色に分解して画像を読み取れるようになっている。
【００４９】
次に、プリンタ１００の構成、およびプリンタ１００に関連する各部の構成について説明する。
【００５０】
プリンタ１００は、プリンタ１００の外部から伝達された画像データに応じて、所定のシート（記録用紙）に対して多色および単色の画像を形成するものである。
【００５１】
プリンタ１００は、カラー画像を扱うための４つの画像形成ステーションを有している。このプリンタ１００において扱われる画像データは、ブラック（Ｋ）、シアン（Ｃ）、マゼンタ（Ｍ）、イエロー（Ｙ）の各色を用いたカラー画像に応じたものである。
【００５２】
このため、プリンタ１００は、図３に示すように、露光ユニット１０（１０ａ、１０ｂ、１０ｃ、１０ｄ）、現像器２（２ａ、２ｂ、２ｃ、２ｄ）、感光体ドラム（像担持体）３（３ａ、３ｂ、３ｃ、３ｄ）、クリーナユニット４（４ａ、４ｂ、４ｃ、４ｄ）、帯電器５（５ａ、５ｂ、５ｃ、５ｄ）を、各色に応じた４種類の潜像を形成するように、それぞれの画像形成ステーションごとに備えている。各画像形成ステーションは、それぞれ、ａがブラック（Ｋ）に対応し、ｂがシアン（Ｃ）に対応し、ｃがマゼンタ（Ｍ）に対応し、ｄがイエロー（Ｙ）に対応するように設定されている。各画像形成ステーションを区別する必要がない場合には、以下では説明を簡単にするため、露光ユニット１０、現像器２、感光体ドラム３、クリーナユニット４、帯電器５のように呼ぶ。
【００５３】
プリンタ１００は、さらに転写搬送ベルトユニット８、定着ユニット１２、用紙搬送路Ｓ、給紙カセット１９、排紙トレイ１５，３３、画像処理基板３００、および制御回路基板４００等を備えている。画像処理基板３００は画像処理部３０１を含んでいる。制御回路基板４００は、主制御部（画像読取部調整手段、印刷部調整手段）４０１、プリンタ制御部４０２、スキャナ制御部４０３、γ調整部（階調調整手段）５０１および記憶部６００を含んでいる。以下ではプリンタ１００の各部について説明する。
【００５４】
感光体ドラム３はプリンタ１００のほぼ中心部に配置されている。帯電器５は、感光体ドラム３の表面を所定の電位に均一に帯電させるための帯電手段であり、図３に示すチャージャー型のもののほかに、接触式の帯電ローラ型やブラシ型のものが用いられる。
【００５５】
露光ユニット１０は、発光素子をアレイ状に並べた例えばＥＬあるいはＬＥＤ書込みヘッド、レーザ照射部および反射ミラーを備えたレーザスキャニングユニット（ＬＳＵ）である。この露光ユニット１０は、帯電された感光体ドラム３を入力される画像に応じて露光することにより、その表面に画像データに応じた静電潜像を形成する。
【００５６】
現像器２は、それぞれの感光体ドラム３上に形成された静電潜像を、Ｋ、Ｃ、Ｍ、Ｙのトナーにより顕像化するものである。クリーナユニット４は、現像および画像転写後における感光体ドラム３上の表面に残留したトナーを除去し回収するものである。
【００５７】
感光体ドラム３の下方に配置されている転写搬送ベルトユニット８は、転写ベルト７、転写ベルト駆動ローラ７１、転写ベルトテンションローラ７２、転写ベルト従動ローラ７３、転写ベルト支持ローラ７４、転写ローラ６（６ａ、６ｂ、６ｃ、６ｄ）、および転写ベルトクリーニングユニット９を備えている。
【００５８】
転写ベルト駆動ローラ７１、転写ベルトテンションローラ７２、転写ローラ６、転写ベルト従動ローラ７３、転写ベルト支持ローラ７４等は、転写ベルト７を張架し矢印Ｂ方向に回転駆動させるものである。
【００５９】
転写ローラ６は、転写ベルトユニットの内側のフレーム（図示せず）に回転可能に支持されており、感光体ドラム３のトナー像を、転写ベルト７上に吸着されて搬送されるシートに転写するものである。
【００６０】
転写ベルト７は、それぞれの感光体ドラム３に接触するように設けられている。そして、感光体ドラム３に形成された各色のトナー像は転写ベルト７上のシートに順次重ねて転写される。これにより、シート上にカラーのトナー像（多色トナー像）が形成される。
【００６１】
感光体ドラム３からシートへのトナー像の転写は、転写ベルト７の裏側に接触している転写ローラ６によって行われる。転写ローラ６には、トナー像を転写するために高電圧（トナーの帯電極性（−）とは逆極性（＋）の高電圧）が印加されている。なお、転写ローラ６に限らず、例えばブラシ等を用いることもできる。
【００６２】
このように、転写搬送ベルトユニット８の各部材が、感光体ドラム３からシートへトナー像を転写させる転写手段として機能する。
【００６３】
感光体ドラム３との接触により転写ベルト７に付着したトナーは、シートの裏面を汚す原因となるために、転写ベルトクリーニングユニット９によって除去し回収される。
【００６４】
給紙カセット１９は、画像形成に使用するシートを収容するものであり、プリンタ１００の下側に設けられている。プリンタ１００の上部に設けられている排紙トレイ１５は、印刷済みのシートをフェイスダウンで載置するためのトレイである。また、プリンタ１００の側部に設けられている排紙トレイ３３は、画像形成済みのシートをフェイスアップで載置するためのトレイである。
【００６５】
プリンタ１００には、シートを給紙カセット１９からシート転写搬送ユニット８や定着ユニット１２を経由させて排紙トレイ１５に送るための、Ｓの字形状の用紙搬送路Ｓが設けられている。さらに、給紙カセット１９から排紙トレイ１５および排紙トレイ３３までの用紙搬送路Ｓの近傍には、ピックアップローラ１６、レジストローラ１４、定着ユニット１２、搬送方向切り替えゲート３４、シートを搬送する搬送ローラ２５等が配されている。
【００６６】
搬送ローラ２５は、シートの搬送を促進・補助するための小型のローラであり、用紙搬送路Ｓに沿って複数設けられている。ピックアップローラ１６は、給紙カセット１９の端部に備えられ、給紙カセット１９から、シートを１枚毎に用紙搬送路Ｓに供給する呼び込みローラである。
【００６７】
搬送方向切換えゲート３４は、実線で示す状態から破線で示す状態にすることにより搬送路Ｓの途中からシートを分離し、排紙トレイ３３にシートを排出できるようになっている。実線で示す状態の場合には、シートは定着ユニット１２と側面カバー３５、搬送切換えガイド（ゲート）３４の間に形成される搬送部Ｓ’（用紙搬送路Ｓの一部）を通り上部の排紙トレイ１５に排出される。
【００６８】
レジストローラ１４は、用紙搬送路Ｓを搬送されているシートを一旦保持するものである。そして、感光体ドラム３上のトナー像をシートに良好に多重転写できるように、感光体ドラム３の回転にあわせて、シートをタイミングよく搬送する機能を有している。
【００６９】
定着ユニット１２は、ヒートローラ３１および加圧ローラ３２等を備えている。ヒートローラ３１と加圧ローラ３２とは、シートを挟んで回転し、シートを熱圧着することにより、シートに転写された多色トナー像を溶融・混合・圧接させ、シートに熱定着させる。
【００７０】
画像処理基板３００は、画像データに対して所定の処理を施す回路基板であり、制御回路基板４００は画像形成プロセスを制御する回路基板である。
【００７１】
次に、給紙デスク装置２０について説明する。給紙デスク装置２０は、プリンタ１００の給紙カセット１９の下方に備えられている。給紙デスク装置２０は、３段の給紙カセット２０ａ〜２０ｃを備えており、用紙搬送路Ｓを経由して、プリンタ１００に用紙を供給できるようになっている。なお、本実施形態の複合機１は、給紙デスク装置２０の構成に限らず、１段の給紙カセットを備えたものや、並行に２個の給紙カセットを有するタンデムカセットを備えたもの、あるいは単にデスクとして機能するもの等、ユーザの要望に応じて装着できるようになっている。
【００７２】
なお、本実施形態では、プリンタ１００を多色の画像を形成する多色プリンタとして説明するが、モノクロ（白黒）画像形成を行うプリンタでも本発明の一部を除く機能を実施可能であるものとする。
【００７３】
また、複合機１は、複合機１のユーザインタフェースとしての操作パネルを、スキャナ２００の位置に備えている。操作パネル２２０には、図６に示すように、左部分に、タッチパネル液晶表示装置（ＬＣＤと称呼する）２２１が配置されていて、その右側にテンキー２３１、スタートキー２４１、クリアキー２５１、および全解除キー２６１が配置されている。
【００７４】
このＬＣＤ２２１の画面上には、種々の画面が切換えられて表示される。これらの画面中では、種々の条件を設定するタッチキーが配置されており、タッチキーを指で直接押圧操作して、各種の条件設定（例えば白黒／カラーのモード選択、原稿の種類選択、自動／手動の選択、その他の特別な機能選択など）が可能になっている。また、操作のガイダンスや警告等もこのＬＣＤ２２１に表示される。
【００７５】
また、ＬＣＤ２２１とテンキー２３１の間には、本プリンタ１００を有する複合機１が複合機として動作する時の機能を切換えるキーとして、プリンタキー２７１、ファクシミリ／イメージ送信キー２８１、コピーキー２９１、およびそれぞれの機能ごとに登録されているジョブ状況を確認するためのジョブキー３１１等が配置されている。
【００７６】
ＬＣＤ２２１の右側に配置されたキー群のうち、テンキー２３１はＬＣＤ２２１画面における数値（複写枚数等）を入力するのに使用するキーであり、スタートキー２４１はそれぞれの処理モードでの画像形成動作や読取動作の開始を指示するためのキーである。クリアキー２５１はＬＣＤ２２１に表示される設定値をクリアしたり、画像形成動作など現在実行中の動作の中断を行ったりするキーであり、全解除キー２６１は、読取の条件や画像の形成条件等の設定をデフォルト値に戻すためのキーである。割込キー３２１は、実行中の画像形成動作などを一時中断して他の画像形成を許容するためのキーである。
【００７７】
図１は、複合機１の機能的構成の主要部を示すブロック図である。同図に示すように、複合機１は、複合機１の全体を制御する主制御部４０１、プリンタ１００、プリンタ１００を制御するプリンタ制御部４０２、スキャナ２００、スキャナ２００を制御するスキャナ制御部４０３、画像処理部３０１、γ調整部５０１および記憶部６００を備えている。記憶部６００は、画像データ記憶部６０１、基準データ記憶部６０２およびテスト印刷パターン記憶部６０３を備えている。
【００７８】
画像データ記憶部６０１にはスキャナ２００および画像読取部２１３によって読み取られた画像データが記憶される。この画像データ記憶部６０１は主制御部４０１の作業領域となる。基準データ記憶部６０２には、スキャナ２００および画像読取部２１３の読取調整並びにプリンタ１００の印刷調整に必要な各種の基準値が記憶されている。例えば、Ａ４サイズを含む各種サイズのシートの縦・横の長さが基準値として記憶されている。テスト印刷パターン記憶部６０３には、例えばＡ４サイズを含む少なくとも１つのサイズのテスト印刷シート７０２を印刷するためのテスト印刷パターンが記憶されている。
【００７９】
図２は、図１に示した主制御部４０１の機能的構成の主要部を示すブロック図である。同図に示すように、主制御部４０１は、画像切分部（画像切分手段）４２１、読取調整部４３１および印刷調整部４４１を備えている。
【００８０】
画像切分部４２１は、スキャナ２００および画像読取部２１３から得られた各基準チャート画像から、矩形枠形状の画像である読取調整用画像（図７に示す読取調整用チャート７１１の画像）と、この読取調整用画像の内部の画像であるγ調整用チャート画像（図７に示すγ調整用チャート７１２の画像）とを切り分ける。これによって得られた読取調整用画像は読取調整部４３１に入力され、γ調整用チャート画像はγ調整部５０１に入力される。なお、画像読取部２１３から基準チャート画像が得られるのは自動原稿搬送装置２１０がＤＳＰＦの場合であり、自動原稿搬送装置２１０がＲＳＰＦの場合は、スキャナ２００から得られた裏面読取画像としての基準チャート画像を使用する。
【００８１】
読取調整部４３１はスキャナ２００が読み取った基準チャート画像から切り分けた読取調整用画像に基づいてスキャナ２００の読取調整を行い、画像読取部２１３が読み取った基準チャート画像から切り分けた読取調整用画像に基づいて画像読取部２１３の読取調整（裏面読取調整）を行う。印刷調整部４４１はスキャナ２００が読み取ったテスト印刷画像に基づいてプリンタ１００の印刷調整を行う。γ調整部５０１は、スキャナ２００が読み取った基準チャート画像から切り分けたγ調整用チャート画像に基づいてスキャナ２００のγ調整を行い、画像読取部２１３が読み取った基準チャート画像から切り分けたγ調整用チャート画像に基づいて画像読取部２１３のγ調整（裏面読取γ調整）を行う。
【００８２】
なお、本実施形態において、スキャナ２００の主走査方向の読取倍率については、既に正しく調整されているものとする。これは、スキャナ２００は、工場での組立時に、治具などによって主走査方向の倍率が機械的に調整されるためである。
【００８３】
図７（ａ）は、本実施の形態の複合機１において使用する基準チャートを示す説明図、図７（ｂ）は同テスト印刷シートを示す説明図である。即ち、本実施の形態では、図１９に示した基準チャート１００１に代えて図７（ａ）に示す基準チャート７０１を使用する。なお、図７（ａ）に示すテスト印刷シート７０２は、図２０に示したテスト印刷シート１００２と同様の画像を有するものである。
【００８４】
基準チャート７０１は、矩形枠形状の画像からなる読取調整用チャート７１１（前記基準チャート１００１に相当）の内部にγ調整に使用する画像であるγ調整用チャート（階調調整用チャート）７１２を有するものとなっている。これにより、基準チャート７０１は、スキャナ２００および画像読取部２１３の読取調整とγ調整とに使用可能である。
【００８５】
テスト印刷シート７０２はテスト印刷パターン記憶部６０３に記憶されているテスト印刷パターンの画像データを印刷することによって得られる。なお、テスト印刷シート７０２の画像（テスト印刷パターン）は、図７（ｂ）に示すような連続した矩形枠形状の画像ではなく、枠形状部分の画像が部分的に間引きされた状態の画像であってもよい。この場合、テスト印刷シート７０２（テスト印刷パターン）は、これを印刷した場合のトナー使用量を低減できる。
【００８６】
図８は、テスト印刷パターン記憶部６０３に記憶されているテスト印刷パターンと、このテスト印刷パターンが印刷されたテスト印刷シート７０２との関係を示す説明図である。具体的には、例えば転写ベルト７上のテスト印刷シート７０２を含む領域に、上記テスト印刷パターンに基づいて形成されたテスト印刷パターン画像７５１が感光体ドラム３から転写された状態を示している。あるいは、感光体ドラム３の表面にテスト印刷パターンに基づいて形成されたテスト印刷パターン画像７５１とテスト印刷パターン画像７５１が印刷される場合の転写ベルト７上のテスト印刷シート７０２との対応関係を示している。
【００８７】
同図に示すように、テスト印刷シート７０２に印刷されるテスト印刷パターンは、テスト印刷シート７０２の用紙サイズよりも大きいものであり、これによってテスト印刷シート７０２の端縁部一杯まで、テスト印刷画像を印刷できるようになっている。なお、本実施の形態において、テスト印刷シート７０２のサイズはＡ４となっている。
【００８８】
上記の構成において、自動原稿搬送装置２１０が図４に示したＤＳＰＦである場合、原稿セットトレイ２１１に配置された原稿は、表面がスキャナ２００にて読み取られ、裏面が画像読取部２１３にて読み取られる。一方、自動原稿搬送装置２１０が図５に示したＲＳＰＦである場合、原稿セットトレイ２１１に配置された原稿は、表面および裏面ともスキャナ２００にて読み取られる。なお、以下では、自動原稿搬送装置２１０が例えばＤＳＰＦであるものとして説明する。
【００８９】
次に、本実施の形態の複合機１における、スキャナ２００および画像読取部２１３の読取調整、並びにプリンタ１００の印刷調整の方法について説明する。これら調整の場合には、図９に示すように、先ず原稿台２０９上原稿の読取に伴う読取調整（スキャナ２００の読取調整）、スキャナ２００のγ調整、自動原稿搬送装置２１０による搬送原稿の読取に伴う裏面読取調整（画像読取部２１３の裏面読取調整）および画像読取部２１３のγ調整が行われる。次に、自動原稿搬送装置２１０による搬送原稿の読取に伴う表面読取調整およびプリンタ１００の印刷調整が行われる。なお、図９は本実施の形態の複合機（画像形成装置）１におけるそれら読取調整および印刷調整の概要説明図である。また、原稿台２０９上への基準チャート７０１の配置は通常どおり原稿載置ガイド（図示せず）を基準として行われる。
【００９０】
原稿台２０９上原稿の読取に伴う読取調整、スキャナ２００のγ調整、自動原稿搬送装置２１０による搬送原稿の読取に伴う裏面読取調整および画像読取部２１３のγ調整を図１０のフローチャートに基づいて以下に説明する。
【００９１】
この調整において、主制御部４０１は、複合機１を読取調整モードとし（Ｓ１）、図１１に示すように、自動原稿搬送装置２１０の原稿セットトレイ２１１、および原稿台２０９上にそれぞれ基準チャート７０１を配置する。この場合、各基準チャート７０１は画像面を下に向けて配置する。例えば、これら各部への基準チャート７０１の配置は図示しないセンサにて検知される（Ｓ２）。なお、読取調整モードの設定は、操作パネル２２０でのキー操作により設定可能となっている。
【００９２】
次に、スタートキー２４１がＯＮされると（Ｓ３）、原稿セットトレイ２１１に配置された基準チャート７０１が画像読取部２１３にて読み取られ、原稿台２０９に配置された基準チャート７０１がスキャナ２００にて読み取られる（Ｓ４）。
【００９３】
ここで、複合機１では、読取調整モードにおいて１回のみスタートキー２４１がＯＮされると、自動原稿搬送装置２１０による原稿送り動作および画像読取部２１３による基準チャート７０１の読取動作とスキャナ２００による原稿台２０９上の基準チャート７０１の読取動作とが順次行われる構成である。
【００９４】
次に、スキャナ２００から得られた基準チャート画像に基づいて原稿台２０９上原稿の読取に伴う読取調整（スキャナ２００の読取調整）を行い、画像読取部２１３から得られた基準チャート画像に基づいて、自動原稿搬送装置２１０による搬送原稿の読取に伴う裏面読取調整を行い、さらにスキャナ２００から得られた基準チャート画像に基づいてスキャナ２００のγ調整を行い、画像読取部２１３から得られた基準チャート画像に基づいて画像読取部２１３のγ調整を行う（Ｓ５）。その後、各調整値をそれら調整値を使用する手段にフィードバックする（Ｓ６）。
【００９５】
なお、Ｓ４での基準チャート７０１の画像面を下に向けて原稿セットトレイ２１１に配置した場合の画像読取部２１３による上記の読取動作は、自動原稿搬送装置２１０を使用した読取動作についての裏面読取に相当する。したがって、基準チャート７０１の画像面を下に向けた配置状態での、自動原稿搬送装置２１０がＤＳＰＦである場合の画像読取部２１３の読取画像に基づく読取調整、あるいは自動原稿搬送装置２１０がＲＳＰＦである場合のスキャナ２００の読取画像に基づく読取調整は、自動原稿搬送装置２１０の裏面読取調整となる。
【００９６】
次に、図１０に示したＳ５のスキャナ２００および画像読取部２１３の読取調整、並びにスキャナ２００および画像読取部２１３のγ調整について図１２のフローチャートに基づいて説明する。
【００９７】
スキャナ２００の読取調整および画像読取部２１３の読取調整（裏面読取調整）において、主制御部４０１の画像切分部４２１は、スキャナ２００から得られた基準チャート画像および画像読取部２１３から得られた基準チャート画像を、それぞれ矩形枠形状の画像である読取調整用画像（読取調整用チャート７１１に対応する画像）とこの読取調整用画像の内部の画像であるγ調整用チャート画像（γ調整用チャート７１２に対応する画像）とに切り分ける（Ｓ１１）。そして、画像切分部４２１は、読取調整用画像を読取調整部４３１に出力し、γ調整用チャート画像をγ調整部５０１に出力する。
【００９８】
γ調整部５０１では、スキャナ２００が読み取った基準チャート画像のγ調整用チャート画像に基づいてスキャナ２００のγ調整を行い、画像読取部２１３が読み取った基準チャート画像のγ調整用チャート画像に基づいて画像読取部２１３のγ調整を行う（Ｓ１２）。このγ調整は周知の手法によって行われる。
【００９９】
例えば、γ調整では、読み取った基準チャート画像の色データがＡ１であり、これを初期色補正係数Ｂ１で補正したときの色データがＡ２であったとき、基準値ＡｒｅｆとＡ２とを比較して、許容範囲を超えていれば許容範囲内に収まるように色補正係数を変更する。これにより、出力される色データが基準値に近くなるようにする。
【０１００】
一方、読取調整部４３１では、スキャナ２００が読み取った基準チャート画像の読取調整用画像に基づいてスキャナ２００の読取調整を行い、画像読取部２１３が読み取った基準チャート画像の読取調整用画像に基づいて画像読取部２１３の読取調整（裏面読取調整）を行う（Ｓ１３〜Ｓ１４）。
【０１０１】
これら読取調整において、読取調整部４３１は先ず読取画像についての副走査方向の倍率調整を行う（Ｓ１３）。次に、読取調整部４３１は副走査方向の先端位置調整を行う（Ｓ１４）。最後に、読取調整部４３１は主走査方向のオフセンター調整を行う（Ｓ１５）。なお、これら読取調整の詳細は、図１９に基づく先述の説明の通りである。
【０１０２】
次に、自動原稿搬送装置２１０による搬送原稿の読取に伴う表面読取調整およびプリンタ１００の印刷調整を図１３のフローチャートに基づいて以下に説明する。
【０１０３】
この調整において、主制御部４０１は、先ず、複合機１を印刷調整モードとする（Ｓ２１）。なお、印刷調整モードの設定は、操作パネル２２０でのキー操作により設定可能となっている。
【０１０４】
次に、スタートキー２４１がＯＮされると（Ｓ２２）、例えばテスト印刷パターン記憶部６０３に記憶されているテスト印刷パターンを読み出してテスト印刷シート７０２を印刷する（Ｓ２３）。この場合に使用される用紙（シート）は、複合機１が備える各給紙カセットから供給されたものである。本実施の形態においては４個の各給紙カセット１９、２０ａ〜２０ｃから供給される。したがって、作成されるテスト印刷シート７０２は４枚である。また、使用する用紙は全各給紙カセット１９、２０ａ〜２０ｃを通して同一サイズのものとするのが好ましい。
【０１０５】
次に、作業者は、図１４に示すように、上記４枚のテスト印刷シート７０２を自動原稿搬送装置２１０の原稿セットトレイ２１１に画像面を上に向けて配置する。この状態は例えば図示しないセンサにて検知される（Ｓ２４）。
【０１０６】
次に、スタートキー２４１がＯＮされると（Ｓ２５）、自動原稿搬送装置２１０が原稿セットトレイ２１１に配置された４枚のテスト印刷シート７０２を順次送り、原稿排出トレイ２１２に排出する。この間に、スキャナ２００は各テスト印刷シート７０２の画像を順次読み取る（Ｓ２６）。
【０１０７】
このように、テスト印刷シート７０２の画像面を上に向けて原稿セットトレイ２１１に配置して原稿を送った場合、テスト印刷シート７０２はスキャナ２００によって読み取られる。これは、自動原稿搬送装置２１０を使用した読取動作についての表面読取に相当する。
【０１０８】
次に、スキャナ２００から得られたテスト印刷シート７０２のテスト印刷画像に基づいて、自動原稿搬送装置２１０による搬送原稿の読取に伴う表面読取調整、印刷倍率調整、および全カセット調整を行う（Ｓ２７）。その後、各調整値をそれら調整値を使用する手段にフィードバックする（Ｓ２８）。
【０１０９】
Ｓ２７での自動原稿搬送装置２１０による搬送原稿の読取に伴う表面読取調整は、図１２に示したＳ１３〜Ｓ１５の処理に相当する。
【０１１０】
次に、図１３のＳ２７に示した印刷調整、即ち印刷倍率調整および全カセット調整について図１５のフローチャートに基づいて説明する。
【０１１１】
プリンタ１００の印刷調整において、主制御部４０１の印刷調整部４４１は、先ず、スキャナ２００から入力されたテスト印刷画像から、テスト印刷シート７０２の原稿台２０９における配置方向とサイズとを検知する（Ｓ４１）。
【０１１２】
次に、印刷位置調整のための演算を行い（Ｓ４２）、次に、印刷倍率調整のための演算を行う（Ｓ４３）。このＳ４３の処理は、先述の（Ｂ１）副走査方向の印刷倍率調整および（Ｂ２）主走査方向の印刷倍率調整に相当する。また、この場合に使用するテスト印刷画像は４枚のテスト印刷シート７０２のうちの何れかに対応するものであればよい。
【０１１３】
次に、全カセット調整として、各給紙カセット１９、２０ａ〜２０ｃに対応するテスト印刷画像（各給紙カセット１９、２０ａ〜２０ｃから供給された用紙を使用して作成されたテスト印刷シート７０２を読み取って得られたテスト印刷画像）に基づいて、各各給紙カセット１９、２０ａ〜２０ｃごとの主走査方向の印刷オフセンター調整を行い（Ｓ４４）、その後、同様に、各各給紙カセット１９、２０ａ〜２０ｃごとの副走査方向の印刷先端位置調整を行う（Ｓ４５）。なお、このようなプリンタ１００の印刷調整の詳細は図２０に基づく先述の説明の通りである。
【０１１４】
なお、本実施の形態の複合機１において、主制御部４０１は、自動原稿搬送装置２１０を使用した読取動作についての裏面読取調整とスキャナ２００の読取調整とを行う場合であって、自動原稿搬送装置２１０が画像読取部２１３を有するＤＳＰＦである場合に、スタートキー２４１のＯＮ操作に応じて、自動原稿搬送装置２１０の原稿セットトレイ２１１に配置された基準チャート７０１の送り動作、即ち画像読取部２１３による読取動作とスキャナ２００による原稿台２０９上の基準チャート７０１の読取動作とが同時に行われるように制御する構成であってもよい。また、上記同時とは、上記の両読取動作の期間が重複していることを意味する。
【０１１５】
上記のように、本実施の形態の複合機１の調整方法では、自動原稿搬送装置２１０の原稿セットトレイ２１１と原稿台２０９とにそれぞれ基準チャート７０１が配置され、スタートキー２４１のＯＮ操作に応じて、自動原稿搬送装置２１０を使用した原稿読取動作についての裏面読取調整とスキャナ２００による原稿台２０９上の原稿読取動作についての読取調整とが順次あるいは重複して行われる構成である。したがって、作業者は、自動原稿搬送装置２１０を使用した原稿読取動作についての裏面読取調整を行う場合に、自動原稿搬送装置２１０の原稿セットトレイ２１１に基準チャート７０１を配置してスタートキー２４１をＯＮ操作し、その後、スキャナ２００による原稿台２０９上の原稿読取動作についての読取動作を行う場合に原稿台２０９上に基準チャート７０１を配置してスタートキー２４１をＯＮ操作するといった作業を行う必要がなく、これら調整に伴う作業者の負担を軽減することができる。
【０１１６】
また、プリンタ１００の印刷調整を行う場合には、複合機１が備える各給紙カセット１９、２０ａ〜２０ｃから供給される用紙を使用して各給紙カセット１９、２０ａ〜２０ｃに対応する基準チャート７０１を作成し、それら基準チャート７０１を自動原稿搬送装置２１０の原稿セットトレイ２１１に配置し、それら基準チャート７０１を自動原稿搬送装置２１０を使用して一括して読み取るようにしているので、プリンタ１００の印刷調整に伴う作業者の負担を軽減することができる。
【０１１７】
〔実施の形態２〕
本発明の他の実施の形態を図面に基づいて以下に説明する。
本実施の形態において、複合機１は、図９および図１０に示した読取調整モードでの調整に代えて、図１６および図１７に示す第１調整モードでの調整を行い、また、図９および図１３に示した印刷調整モードでの調整に代えて、図１６および図１８に示す第２調整モードでの調整を行うようになっている。
【０１１８】
第１調整モードでは、原稿台２０９上原稿の読取に伴う読取調整（スキャナ２００の読取調整）、スキャナ２００のγ調整、自動原稿搬送装置２１０による搬送原稿の読取に伴う表面読取調整（画像読取部２１３の裏面読取調整）、画像読取部２１３のγ調整およびスキャナ２００の印刷倍率調整を行う。この処理を図１７のフローチャートに基づいて以下に説明する。
【０１１９】
この調整の場合には、先ず、複合機１を第１調整モードとし（Ｓ５１）、スタートキー２４１がＯＮされると（Ｓ５２）、各給紙カセット１９、２０ａ〜２０ｃのうちの何れかから供給された用紙にテスト印刷パターン記憶部６０３に記録されているテスト印刷パターンを印刷してテスト印刷シート７０２を作成する（Ｓ５３）。なお、第１調整モードの設定は、操作パネル２２０でのキー操作により設定可能となっている。
【０１２０】
その後、自動原稿搬送装置２１０の原稿セットトレイ２１１および原稿台２０９に基準チャート７０１が配置され（Ｓ５４）、スタートキー２４１がＯＮされると（Ｓ５５）、原稿セットトレイ２１１に配置された基準チャート７０１が画像読取部２１３にて読み取られ、原稿台２０９に配置された基準チャート７０１がスキャナ２００にて読み取られる（Ｓ５６）。
【０１２１】
なお、複合機１では、第１調整モードにおいて１回のスタートキー２４１のＯＮ操作により、自動原稿搬送装置２１０による原稿送り動作および画像読取部２１３による基準チャート７０１の読取動作とスキャナ２００による原稿台２０９上の基準チャート７０１の読取動作とが順次行われる構成としてもよい。あるいは、１回目のスタートキー２４１のＯＮ操作に基づいて自動原稿搬送装置２１０による原稿送り動作および画像読取部２１３による基準チャート７０１の読取動作が行われ、２回目のスタートキー２４１のＯＮ操作に基づいてスキャナ２００による原稿台２０９上の基準チャート７０１の読取動作が行われる構成としてもよい。
【０１２２】
次に、スキャナ２００から得られた基準チャート画像に基づいて原稿台２０９上原稿の読取に伴う読取調整を行い、画像読取部２１３から得られた基準チャート画像に基づいて自動原稿搬送装置２１０による搬送原稿の読取に伴う裏面読取調整を行い、さらにスキャナ２００から得られた基準チャート画像に基づいてスキャナ２００のγ調整を行い、画像読取部２１３から得られた基準チャート画像に基づいて画像読取部２１３のγ調整を行う（Ｓ５７）。
【０１２３】
なお、Ｓ５６での基準チャート７０１の画像面を下に向けて原稿セットトレイ２１１に配置した場合の画像読取部２１３による上記の読取動作は、自動原稿搬送装置２１０を使用した読取動作についての裏面読取に相当する。したがって、自動原稿搬送装置２１０がＤＳＰＦである場合の画像読取部２１３の読取画像に基づく読取調整、あるいは自動原稿搬送装置２１０がＲＳＰＦである場合のスキャナ２００の読取画像に基づく読取調整は、自動原稿搬送装置２１０の裏面読取調整となる。
【０１２４】
次に、原稿台２０９にＳ５３にて作成されたテスト印刷シート７０２が配置され（Ｓ５８）、スタートキー２４１がＯＮされると（Ｓ５９）、スキャナ２００によってテスト印刷シート７０２が読み取られ（Ｓ６０）、得られたテスト印刷画像に基づいてプリンタ１００の印刷倍率調整が行われる（Ｓ６１）。その後、各調整値をそれら調整値を使用する手段にフィードバックする（Ｓ６２）。
【０１２５】
なお、上記Ｓ６１の処理は図１５に示したＳ４３の処理に相当する。また、Ｓ５７の処理は図１２に基づいて説明したとおりである。
【０１２６】
次に、第２調整モードでは、自動原稿搬送装置２１０による搬送原稿の読取に伴う表面読取調整およびプリンタ１００の印刷調整を行う。この処理を図１８のフローチャートに基づいて以下に説明する。
【０１２７】
この調整において、主制御部４０１は複合機１を第２調整モードとする（Ｓ７１）。なお、第２調整モードの設定は、操作パネル２２０でのキー操作により設定可能となっている。以下の動作は、Ｓ７７の処理を除いて図１３に示した動作と同一であるので説明を省略する。Ｓ７７の処理では、図１３の対応するＳ２７の処理に対して先のＳ６１において行われた印刷倍率調整が除かれている。
【０１２８】
上記のように、本実施の形態の複合機１の調整方法では、自動原稿搬送装置２１０の原稿セットトレイ２１１と原稿台２０９とにそれぞれ基準チャート７０１が配置され、スタートキー２４１のＯＮ操作に応じて、自動原稿搬送装置２１０による搬送原稿の読取に伴う裏面読取調整と原稿台２０９上原稿の読取に伴う読取調整とが順次あるいは同時に（重複した期間に）行われる構成である。したがって、作業者は、自動原稿搬送装置２１０による搬送原稿の読取に伴う裏面読取調整を行う場合に、自動原稿搬送装置２１０の原稿セットトレイ２１１に基準チャート７０１を配置してスタートキー２４１をＯＮ操作し、その後、原稿台２０９上原稿の読取に伴う読取調整を行う場合に原稿台２０９上に基準チャート７０１を配置してスタートキー２４１をＯＮ操作するといった作業を行う必要がなく、これら調整に伴う作業者の負担を軽減することができる。
【０１２９】
また、プリンタ１００の印刷調整を行う場合には、複合機１が備える各給紙カセット１９、２０ａ〜２０ｃから供給される用紙を使用して各給紙カセット１９、２０ａ〜２０ｃに対応するテスト印刷シート７０２を作成し、それらテスト印刷シート７０２を自動原稿搬送装置２１０の原稿セットトレイ２１１に配置し、それらテスト印刷シート７０２を自動原稿搬送装置２１０を使用して一括して読み取るようにしているので、プリンタ１００の印刷調整に伴う作業者の負担を軽減することができる。
【０１３０】
また、本実施の形態２の構成では、実施の形態１の構成と比較して、各各給紙カセット１９、２０ａ〜２０ｃに対応したテスト印刷画像に基づく印刷調整の前に、印刷倍率調整を行っている。したがって、この印刷倍率調整を行う分だけ作業が増加するものの、良好な印刷調整が可能となっている。
【０１３１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１３２】
本発明の画像形成装置の構成は、スキャナとプリンタとを備えたデジタル複写機の複合機等に適用可能である。
【図面の簡単な説明】
【０１３３】
【図１】本発明の一実施の形態における画像形成装置の読取調整および印刷調整のための機能的構成を示すブロック図である。
【図２】図１に示した主制御部の構成を示すブロック図である。
【図３】本発明の一実施の形態における画像形成装置の内部の構成を示す正面図である。
【図４】図３に示した自動原稿搬送装置の一例としてのＤＳＰＦの構成を示す模式図である。
【図５】図３に示した自動原稿搬送装置の一例としてのＲＳＰＦの構成を示す模式図である。
【図６】図３に示した画像形成装置が備える操作パネルを示す平面図である。
【図７】図７（ａ）は図３に示した画像形成装置での読取調整に使用する基準チャートを示す説明図、図７（ｂ）は同画像形成装置での印刷調整に使用するテスト印刷シートを示す説明図である。
【図８】図１に示したテスト印刷パターン記憶部に記憶されているテスト印刷パターンと、このテスト印刷パターンが印刷されたテスト印刷シートとの関係を示す説明図である。
【図９】図１に示した画像形成装置における読取調整および印刷調整の概要説明図である。
【図１０】図１に示した構成による画像形成装置の読取調整モードの動作を示すフローチャートである。
【図１１】図４に示した自動原稿搬送装置（ＤＳＰＦ）を使用して画像形成装置の読取調整を行う場合の基準チャートの配置状態を示す説明図である。
【図１２】図１０のＳ５のスキャナおよび画像読取部の読取調整、並びにスキャナおよび画像読取部２１３のγ調整を示すフローチャートである。
【図１３】図１に示した構成による画像形成装置の印刷調整モードの動作を示すフローチャートである。
【図１４】図４に示した自動原稿搬送装置（ＤＳＰＦ）を使用して画像形成装置の印刷調整を行う場合の自動原稿搬送装置へのテスト印刷シートの配置状態を示す説明図である。
【図１５】図１３のＳ２７の印刷調整を示すフローチャートである。
【図１６】本発明の実施の他の形態における図１に示した画像形成装置の読取調整および印刷調整の概要説明図である。
【図１７】図１に示した構成による画像形成装置の第１調整モードの動作を示すフローチャートである。
【図１８】図１に示した構成による画像形成装置の第２調整モードの動作を示すフローチャートである。
【図１９】スキャナの読取調整に使用される従来の基準チャートを示す説明図である。
【図２０】プリンタの印刷調整に使用される従来のテスト印刷シートを示す説明図である。
【符号の説明】
【０１３４】
１    複合機（画像形成装置）
３    感光体ドラム
１０１    原稿載置ガイド
１００    プリンタ（印刷部）
２００    スキャナ（画像読取部）
２０９    原稿台
４０１    主制御部（画像読取部調整手段、印刷部調整手段、制御手段）
４２１    画像切分部
４３１    読取調整部
４４１    印刷調整部
５０１    γ調整部（階調調整手段）
６０３    テスト印刷パターン記憶部
７０１    基準チャート
７０２    テスト印刷シート
７１１    読取調整用チャート
７１２    γ調整用チャート（階調調整用チャート）
７５１    テスト印刷パターン画像
１００１    基準チャート
１００２    テスト印刷シート
【図１】
2006339915.tif 000003
【図２】
2006339915.tif 000004
【図３】
2006339915.tif 000005
【図４】
2006339915.tif 000006
【図５】
2006339915.tif 000007
【図７】
2006339915.tif 000008
【図８】
2006339915.tif 000009
【図９】
2006339915.tif 000010
【図１０】
2006339915.tif 000011
【図１１】
2006339915.tif 000012
【図１２】
2006339915.tif 000013
【図１３】
2006339915.tif 000014
【図１４】
2006339915.tif 000015
【図１５】
2006339915.tif 000016
【図１６】
2006339915.tif 000017
【図１７】
2006339915.tif 000018
【図１８】
2006339915.tif 000019
【図１９】
2006339915.tif 000020
【図２０】
2006339915.tif 000021
【図６】
2006339915.tif 000022